(57)【要約】【課題】衝撃に耐える性能を向上させることが可能な端末装置を提供する。【解決手段】第１の透明基板１１ａと、第１の透明基板１１ａよりも平面積が小さく、第１の透明基板１１ａの一部に積層されている第２の透明基板１１ｂと、第２の透明基板１１ｂを挟んで第１の透明基板１１ａと対向している第１の部分２ａと、第１の部分２ａから外側に張り出し、第１の透明基板１１ａと間隔をおいて対向している第２の部分２ｂと、を有するディスプレイパネル２と、ディスプレイパネル２の第２の部分２ｂと、第１の透明基板１１ａの、第２の部分と対向する部分との間に設けられた緩衝部材８と、を有する。【選択図】  図２
2012173475.tif 000002
【特許請求の範囲】
【請求項１】
第１の透明基板と、
前記第１の透明基板よりも平面積が小さく、前記第１の透明基板の一部に積層されている第２の透明基板と、
前記第２の透明基板を挟んで前記第１の透明基板と対向している第１の部分と、前記第１の部分から外側に張り出し、前記第１の透明基板と間隔をおいて対向している第２の部分と、を有するディスプレイパネルと、
前記ディスプレイパネルの前記第２の部分と、前記第１の透明基板の、前記第２の部分と対向する部分との間に設けられた緩衝部材と、
を有する端末装置。
【請求項２】
前記第１の透明基板の前記一部と前記第２の透明基板に挟まれている画像形成素子と、
前記第１の透明基板の、前記第２の部分と対向する部分に設けられ、前記画像形成素子に画像を形成させるドライブ回路と、をさらに有する、請求項１に記載の端末装置。
【請求項３】
前記緩衝部材が、発泡剤である、請求項１または２に記載の端末装置。
【請求項４】
前記緩衝部材が、樹脂である、請求項１または２に記載の端末装置。
【請求項５】
前記樹脂が袋部材の中に充填されている、請求項４に記載の端末装置。
【請求項６】
複数の前記第２の透明基板が、１枚の前記第１の透明基板に互いに離れて積層されている、請求項１から５までのいずれか１項に記載の端末装置。
【請求項７】
第１の透明基板と、前記第１の透明基板よりも平面積が小さく、前記第１の透明基板の一部に積層されている第２の透明基板と、前記第２の透明基板を挟んで前記第１の透明基板と反対側に位置するディスプレイパネルと、を有する端末装置におけるディスプレイパネルの支持方法において、
前記ディスプレイパネルの第１の部分が、前記第２の透明基板を挟んで前記第１の透明基板に対向し、前記ディスプレイパネルの、前記第１の部分から外側に張り出した第２の部分が、前記第１の透明基板に間隔をおいて対向するように前記ディスプレイパネルを前記端末装置に取り付けるステップと、
前記ディスプレイパネルの前記第２の部分と、前記第１の透明基板の、前記第２の部分と対向する部分との間に緩衝部材を詰めるステップと、
を有することを特徴とするディスプレイパネルの支持方法。
【発明の詳細な説明】
【技術分野】
【０００１】
本発明は、表示デバイスを保護するディスプレイパネルを備えた端末装置、および該ディスプレイパネルの支持方法に関する。
【背景技術】
【０００２】
携帯電話機に代表される端末装置の一つとして、画像を形成して表示する表示デバイスと、表示デバイスを保護するディスプレイパネルと、を備えた端末装置が知られている（特許文献１参照）。
【０００３】
上述した端末装置では、表示デバイスとディスプレイパネルとの間に隙間を設けた構造が一般的であったが、近年、端末装置の薄型化のために、表示デバイスをディスプレイパネルに接合して一体化した構造が主流になり始めている。
【０００４】
図８は、本発明に関連する端末装置の要部の構造を示す断面図である。
【０００５】
図８に示す端末装置１００では、表示デバイス１０１とディスプレイパネル２００とが一体化している。表示デバイス１０１は、偏光板１１１と、透明基板１１２と、透明基板１１３と、偏光板１１４とを有する。透明基板１１２と透明基板１１３の間には、液晶素子（不図示）が挟まれている。この液晶素子は、透明基板１１２に実装されたドライブ回路２１０の制御に基づいて画像を形成する。一方、ディスプレイパネル２００は、平板状で透明である。
【０００６】
端末装置１００では、光源の光が、表示デバイス１に入射したときに画像が形成され表示される。ディスプレイパネル２００が透明なので、表示デバイス１に表示された画像は、ディスプレイパネル２００を通じて見ることが可能である。
【先行技術文献】
【特許文献】
【０００７】
【特許文献１】特開２００６−１５４３６６号公報
【発明の概要】
【発明が解決しようとする課題】
【０００８】
図８に示す端末装置１００の構造では、ディスプレイパネル２００の上方とドライブ回路２１０との間に空隙が形成されている。そのため、ディスプレイパネル２００に大きな静荷重Ａが加えられたとき、ディスプレイパネル２００がたわんで破損することが懸念される。また、端末装置１００が、例えば落下による衝撃荷重によって、振動が端末装置１００全体に伝播した場合、ドライブ回路２１０が実装されている透明基板１１２の端部が上下方向（図８の矢印Ｂ参照）に振動することによって破損することが懸念される。
【０００９】
そこで、本発明は、外力に耐える性能を向上させることが可能な端末装置、およびディスプレイパネルの支持方法を提供することを目的とする。
【課題を解決するための手段】
【００１０】
上記目的を達成するため、本発明の端末装置は、第１の透明基板と、前記第１の透明基板よりも平面積が小さく、前記第１の透明基板の一部に積層されている第２の透明基板と、前記第２の透明基板を挟んで前記第１の透明基板と対向している第１の部分と、前記第１の部分から外側に張り出し、前記第１の透明基板と間隔をおいて対向している第２の部分と、を有するディスプレイパネルと、前記ディスプレイパネルの前記第２の部分と、前記第１の透明基板の、前記第２の部分と対向する部分との間に設けられた緩衝部材と、を有する。
【００１１】
上記目的を達成するため、本発明のディスプレイパネルの支持方法は、第１の透明基板と、前記第１の透明基板よりも平面積が小さく、前記第１の透明基板の一部に積層されている第２の透明基板と、前記第２の透明基板を挟んで前記第１の透明基板と反対側に位置するディスプレイパネルと、を有する端末装置におけるディスプレイパネルの支持方法において、前記ディスプレイパネルの第１の部分が、前記第２の透明基板を挟んで前記第１の透明基板に対向し、前記ディスプレイパネルの、前記第１の部分から外側に張り出した第２の部分が、前記第１の透明基板に間隔をおいて対向するように前記ディスプレイパネルを前記端末装置に取り付けるステップと、前記ディスプレイパネルの前記第２の部分と、前記第１の透明基板の、前記第２の部分と対向する部分との間に緩衝部材を詰めるステップと、を有することを特徴とする。
【発明の効果】
【００１２】
本発明によれば、外力に耐える性能を向上させることが可能となる。
【図面の簡単な説明】
【００１３】
【図１】本発明の端末装置の一実施形態を示す分解斜視図である。
【図２】図１に示す端末装置の断面図である。
【図３】図１に示す端末装置に設けられた表示デバイスの構造を示す斜視図である。
【図４】図２に示す領域Ｃの拡大図である。
【図５】本発明の端末装置の他の実施形態を示す断面図である。
【図６】本発明の端末装置の他の実施形態を示す断面図である。
【図７】本発明の端末装置の他の実施形態を示す断面図である。
【図８】本発明に関連する端末装置の要部の構造を示す断面図である。
【発明を実施するための形態】
【００１４】
図１は、本発明の端末装置の一実施形態を示す分解斜視図である。図２は、図１に示す端末装置１０の断面図である。本発明の端末装置は、携帯電話機などの通信機器に限らず、ゲーム機等単独で動作する装置にも適用可能である。
【００１５】
図１、２に示す端末装置１０では、表示デバイス１に貼り付けられているバックライト６の光が表示デバイス１に入射されると、表示デバイス１において画像が形成され表示される。表示デバイス１に表示された画像は、表示デバイス１に接合され一体化したディスプレイパネル２を通じて見ることができる。ディスプレイパネル２は、表示デバイス１を保護するための保護部材であり、透明な平板状の部材で形成されている。ディスプレイパネル２は、その中央部が透明な接着剤または透明な両面テープで構成された平板状の接合部材３に接合されるとともに、その周縁部が枠状の接合部材５によってケース４に接合されている。
【００１６】
図３は、表示デバイス１の構造を示す斜視図である。
【００１７】
表示デバイス１は、図３に示すように、第１の透明基板１１ａと、偏光板１２ａと、画像形成素子２０と、ドライブ回路２１と、第２の透明基板１１ｂと、偏光板１２ｂと、を有する。
【００１８】
偏光板１２ａは、第１の透明基板１１ａの裏面に貼り付けられている。第１の透明基板１１ａの一部には、画像形成素子２０を挟んで、第１の透明基板１１ａよりも平面積が小さい第２の透明基板１１ｂが積層されている。本実施形態では、画像形成素子２０は液晶素子である。第１の透明基板１１ａの表面における、第２の透明基板１１ｂの積層部分の外側には、画像形成素子２０に画像を形成させるドライブ回路２１が実装されている。第２の透明基板１１ｂには、偏光板１２ｂが貼り付けられている。偏光板１２ｂは、接合部材３に接合されている（図１または図２参照）。
【００１９】
図４は、図２に示す領域Ｃの拡大図である。
【００２０】
図４に示すように、ドライブ回路２１の周囲には、液晶の封止やドライブ回路２１の実装面の保護を目的とした樹脂部材３０が塗布されている。ディスプレイパネル２は、第２の透明基板１１ｂを挟んで第１の透明基板１１ａに対向している第１の部分２ａと、第１の部分２ａから外側に張り出し、第１の透明基板１１ａに間隔をおいて対向している第２の部分２ｂと、を有する。ディスプレイパネル２の第２の部分２ｂと、第１の透明基板１１ａにおける第２の部分２ｂと対向する部分（ドライブ回路２１の実装部分）との間には、緩衝部材８が設けられている。
【００２１】
図８に示す端末装置１００では、ディスプレイパネル２００と、透明基板１１２におけるドライブ回路２１０の実装部分との間が空隙であった。そのため、ディスプレイパネル２００に静荷重が加えられたとき、ディスプレイパネル２００はたわみやすかった。また、端末装置１００に衝撃が加えられたとき、透明基板１１２は、ドライブ回路２１０の実装部分が透明基板１１３の積層部分に比べ剛性が小さい（薄い）ので上下方向に振動しやすかった。一方、本実施形態の端末装置１０では、図４に示すように、ディスプレイパネル２の第２の部分２ｂと、第１の透明基板１１ａにおけるドライブ回路２１の実装部分との間に、緩衝部材８が設けられている。そのため、ディスプレイパネル２に静荷重（図４の矢印Ａ参照）が加えられたとき、ディスプレイパネル２は、第２の部分２ｂが緩衝部材８によって支持される。その結果、ディスプレイパネル２の第２の部分２ｂがたわみにくくなるので、ディスプレイパネル２の支持終端部２２、２３（図４参照）が破断しにくくなる。第１の透明基板１１ａは、ドライブ回路２１の実装部分の剛性が緩衝部材８によって強化される。その結果、端末装置１０に衝撃荷重が加えられたとき、上下方向（図４の矢印Ｂ参照）の振動が抑制されるので、段差部１３（図４参照）が破断しにくくなる。したがって、本実施形態の端末装置１０は、図８に示す端末装置１００に比べ、外力に耐える性能を向上させることが可能となる。
【００２２】
本実施形態では、緩衝部材８は、発泡剤（例えば、ウレタン）であるが、緩衝部材８の材料は、発泡剤に限定されない。緩衝部材８は、図５に示すように、発泡剤よりも粘性が低く、樹脂部材（例えば、シリコーン樹脂）であってもよい。緩衝部材８が樹脂部材の場合、ドライブ回路２１の実装部分とディスプレイパネル２の空隙の形状に即して形成される。そのため、発泡剤に比べより有効に空隙を埋めることが可能となる。緩衝部材８が樹脂部材の場合、図６に示すように、樹脂部材を袋部材９の中に充填してもよい。この場合、樹脂部材がドライブ回路２１とディスプレイパネル２の空隙以外の場所へはみ出すことを防ぐことが可能となる。
【００２３】
本実施形態では、緩衝部材８は、絶縁物であることが望ましいが、ドライブ回路２１に絶縁加工が施されている場合には、必ずしも絶縁物である必要はない。ドライブ回路２１に絶縁加工を施す場合、例えば、ドライブ回路２１の表面に絶縁シートを取り付ければよい。絶縁シートは、接着剤でドライブ回路２１の表面に貼りつけるか、またはねじで第１の透明基板１１ａに締め付けることによって、ドライブ回路２１の表面に取り付けることができる。ドライブ回路２１の表面に熱硬化性樹脂または光硬化性樹脂を塗布し、熱または光で各樹脂を固めることによってドライブ回路２１に絶縁加工を施してもよい。ドライブ回路２１に絶縁物を被せることによってドライブ回路２１に絶縁加工を施してもよい。
【００２４】
本実施形態では、画像形成素子２０、ドライブ回路２１、および第２の透明基板２ｂが１つである構造であったが、本発明は、この構造に限定されない。例えば、図７に示すように、１枚の第１の透明基板１１ａに対して複数の画像形成素子２０と、複数のドライブ回路２１とが交互に設けられ、互いに離れた複数の第２の透光部材１２が複数の画像形成素子２０を個別に挟んで１枚の第１の透明基板１１ａに積層されている構造であってもよい。この構造においても、ディスプレイパネル２と各ドライブ回路２１との間に緩衝部材８を詰めることによって、静荷重に対してディスプレイパネル２がたわみにくくなる。よって、外力に耐える性能が維持される。
【００２５】
本実施形態では、表示形式が液晶であったが、液晶の代わりに、プラズマ、電子ペーパ、有機エレクトロルミネッセンスなどであってもよい。
【符号の説明】
【００２６】
１  表示デバイス
２  ディスプレイパネル
２ａ  第１の部分
２ｂ  第２の部分
３、５  接合材
４  ケース
６  バックライト
７  フレーム
８  緩衝部材
９  袋部材
１０  端末装置
１１ａ  第１の透明基板
１１ｂ  第２の透明基板
１２ａ、１２ｂ  偏光板
１３  段差部
２０  画像形成素子
２１  ドライブ回路
２２、２３  支持終端部
３０  樹脂部材
１００  端末装置
１０１  表示デバイス
１１１、１１４  偏光板
１１２、１１３  透明基板
２００  ディスプレイパネル
２１０  ドライブ回路
【図１】
2012173475.tif 000003
【図２】
2012173475.tif 000004
【図３】
2012173475.tif 000005
【図４】
2012173475.tif 000006
【図５】
2012173475.tif 000007
【図６】
2012173475.tif 000008
【図７】
2012173475.tif 000009
【図８】
2012173475.tif 000010